(57)【特許請求の範囲】
【請求項１】
画面毎に自装置の操作に関する管理者メッセージである文言を登録する登録手段と、
前記登録手段により登録された前記文言に対して前記文言を表示する有効期間を設定する設定手段と、
画面遷移があった場合に、遷移した前記画面に対応付けて前記登録手段により登録された前記文言があるか否かを判断する第１の判断手段と、
前記第１の判断手段により前記文言があると判断された場合は、前記文言に対応付けて前記設定手段により設定された前記有効期間を基に、前記文言を表示する有効期間内か否かを判断する第２の判断手段と、
前記第２の判断手段により前記文言を表示する有効期間内であると判断された場合は、前記文言を表示する表示手段と、
を備えることを特徴とする画像形成装置。
【請求項２】
画面毎に前記登録手段により登録された前記文言を前記画面毎に削除する削除手段を備えることを特徴とする請求項１記載の画像形成装置。
【請求項３】
前記登録手段による前記画面毎の前記文言の登録操作又は前記削除手段による前記画面毎の前記文言の削除操作を開始する場合に、前記画面毎にユーザの認証を行う認証手段を備えることを特徴とする請求項２記載の画像形成装置。
【請求項４】
前記登録手段により登録された前記文言に対応付けられた前記画面には、前記画面を強制的に表示させるための情報が対応付けられており、
前記情報を入力する入力手段と、
前記入力手段により入力された前記情報を基にして前記情報に対応付けられた前記画面を強制的に表示する強制表示手段と、を備え、前記強制表示手段により表示された前記画面が表示された状態で、前記登録操作又は前記削除操作を行うことを特徴とする請求項３記載の画像形成装置。
【請求項５】
前記登録手段により登録された前記文言の登録状況を一覧表示する文言一覧表示手段を備えることを特徴とする請求項１から４の何れか１項に記載の画像形成装置。
【請求項６】
前記登録手段により登録された前記文言を一括削除する一括削除手段を備えることを特徴とする請求項１から５の何れか１項に記載の画像形成装置。
【請求項７】
画面毎に自装置の操作に関する管理者メッセージである文言を登録する登録ステップと、
前記登録ステップにより登録された前記文言に対して前記文言を表示する有効期間を設定する設定ステップと、
画面遷移があった場合に、遷移した前記画面に対応付けて前記登録ステップにより登録された前記文言があるか否かを判断する第１の判断ステップと、
前記第１の判断ステップにより前記文言があると判断された場合は、前記文言に対応付けて前記設定ステップにより設定された前記有効期間を基に、前記文言を表示する有効期間内か否かを判断する第２の判断ステップと、
前記第２の判断ステップにより前記文言を表示する有効期間内であると判断された場合は、前記文言を表示する表示ステップと、
を、画像形成装置が行うことを特徴とする画像形成装置の制御方法。
【請求項８】
画面毎に自装置の操作に関する管理者メッセージである文言を登録する登録処理と、
前記登録処理により登録された前記文言に対して前記文言を表示する有効期間を設定する設定処理と、
画面遷移があった場合に、遷移した前記画面に対応付けて前記登録処理により登録された前記文言があるか否かを判断する第１の判断処理と、
前記第１の判断処理により前記文言があると判断された場合は、前記文言に対応付けて前記設定処理により設定された前記有効期間を基に、前記文言を表示する有効期間内か否かを判断する第２の判断処理と、
前記第２の判断処理により前記文言を表示する有効期間内であると判断された場合は、前記文言を表示する表示処理と、
をコンピュータに実行させることを特徴とするプログラム。
【発明の詳細な説明】
【技術分野】
【０００１】
本発明は、管理者メッセージを表示する画像形成装置、その制御方法及びプログラムに関する。
【背景技術】
【０００２】
従来、管理者が画像形成装置を利用する利用者に何かを伝えたいときには、メッセージを記入した紙をマシンに貼り付けたりしていた。しかし、この方法は非常に手間がかかり、また、紙がはがれてしまうなどの原因で管理者から利用者へのメッセージが伝わらないなどの問題が生じていた。
【０００３】
この問題を解決するために、管理者のメッセージを画像形成装置の複数箇所に表示する技術が開示されている（例えば特許文献１）。この技術では、例えば状態表示エリアとポップアップ画面に管理者メッセージを表示することが可能であり、ポップアップ画面については、常時表示とオートクリア時と選択することが可能である。設定はｗｅｂ側から行い、設定する場合に、画像形成装置側でオートクリアが設定されていないのに、オートクリア時にポップアップ画面で表示する旨を設定しようとすると、オートクリア設定がされていないことを知らせるアラートを表示したり、オートクリアの設定を自動的に有効にしたりすることが可能である。
【０００４】
また、サービスコール相当のエラー発生時に、管理者のメッセージを利用者に表示する技術を含む発明もされている（例えば特許文献２）。図１６は、サービスコール相当のエラー発生時に画面に表示される管理者メッセージを示す図である。図に示す連絡先と機械番号は、管理者（あるいはサービスパーソン）が予め任意の番号を登録することが可能である。
【特許文献１】特許第３４９２３３２号公報
【特許文献２】特許第３８３１１４３号公報
【発明の開示】
【発明が解決しようとする課題】
【０００５】
しかし、上記発明は、各画面１つ１つに対して、管理者メッセージを登録する操作を簡便にする工夫は無いため、管理者メッセージの登録は大変煩雑であり、容易ではないという問題があった。
【０００６】
本発明はこのような実情を鑑みてなされたものであり、あらゆる画面での管理者メッセージである文言の登録が容易な画像形成装置を提供することを目的とする。
【課題を解決するための手段】
【０００７】
かかる目的を達成するために、本発明は、以下の特徴を有する。
本発明にかかる画像形成装置は、
画面毎に自装置の操作に関する管理者メッセージである文言を登録する登録手段と、
前記登録手段により登録された前記文言に対して前記文言を表示する有効期間を設定する設定手段と、
画面遷移があった場合に、遷移した前記画面に対応付けて前記登録手段により登録された前記文言があるか否かを判断する第１の判断手段と、
前記第１の判断手段により前記文言があると判断された場合は、前記文言に対応付けて前記設定手段により設定された前記有効期間を基に、前記文言を表示する有効期間内か否かを判断する第２の判断手段と、
前記第２の判断手段により前記文言を表示する有効期間内であると判断された場合は、前記文言を表示する表示手段と、
を備えることを特徴とする。
【発明の効果】
【００２５】
本発明によれば、あらゆる画面での管理者メッセージである文言の登録が容易になり、操作性を向上させることができる。
【発明を実施するための最良の形態】
【００２６】
以下に本発明の実施形態について、図面を用いて詳細に説明する。
【００２７】
図１は、本発明の実施形態に係る画像形成装置の概略構成の例を示すブロック図である。図示するように、本発明の実施形態に係る画像形成装置は、ＣＰＵ（Central Processing Unit）１、ＲＯＭ（Read-Only Memory）２、ＲＡＭ（Random Access Memory）３、オペレータパネル４、スキャナ５、プロッタ６、網制御部７、モデム８、符号化復号化部９、通信制御部１０、を備え、バス１１により各々接続されている。
【００２８】
ＣＰＵ１は、装置全体を制御する。ＲＯＭ２は、制御の為のプログラムやデータ等を記憶しているメモリである。ＲＡＭ３は、制御に必要な種々のデータを記憶するメモリである。オペレータパネル４は、オペレータによる操作を入力すると共に情報をオペレータに伝える。スキャナ５は、原稿の読み取りを行なう。プロッタ６は、コピーや原稿出力を行なう。網制御部７は、通信回線の制御を行なう。モデム８は、送信信号の変調や受信信号の復調を行なう。符号化復号化部９は、所定の符号化方式にしたがって符号化し、また、符号化された画情報を復号化する。通信制御部１０は、通信相手との間で、通信手順を実行する。
【００２９】
（実施形態１）
図２は、本発明の実施形態に係る画像形成装置のオペレータパネル４の例を示す図である。図３は、本発明の実施形態に係るオペレータパネル４に表示される画面の例を示す図である。図４は、本発明の実施形態に係る画像形成装置の「管理者メッセージ（文言）登録用ボタン」を押した場合にオペレータパネル４に表示される画面の例を示す図である。図５は、本発明の実施形態に係る管理者メッセージ登録管理テーブルの例を示す図である。図６は、本発明の実施形態に係るオペレータパネル４に、登録された管理者メッセージを表示する処理の流れの例を示すフローチャートである。図７は、本発明の実施形態に係るオペレータパネル４に表示される管理者メッセージの例を示す図である。本実施形態では、任意の画面毎に、任意の管理者メッセージを登録する操作の例について、図２、図３、図４、図５、図６、図７、に示す図を用いて詳細に説明する。
【００３０】
図２に図示するように、オペレータパネル４には、どの画面を表示していても押すことが可能な「管理者メッセージ登録用ボタン」を備えている。管理者は、管理者メッセージ（文言）を登録したい画面を開いた状態で、「管理者メッセージ登録用ボタン」を押す。例えば、図３に示す画面に管理者メッセージを登録したい場合は、図３に示す画面を開いた状態で「管理者メッセージ登録用ボタン」を押す。「管理者メッセージ登録用ボタン」を押すと、図４に示すような画面が表示される。「ＳＫＢ」ボタンを押すと、ソフトキーボードが開く。管理者はソフトキーボードなどを用いて、画像形成装置の利用者に伝えたいメッセージ入力し「ＯＫ」ボタンを押して登録する。登録した管理者メッセージは図５に示すようなテーブルに保持される。画面毎にシステム固有のＩＤが割り振られていて、画面ＩＤと、画面ＩＤに対応する文言と、管理者が登録した管理者メッセージ（文言）と、が対応付けて保持されている。
【００３１】
次に、登録された管理者メッセージが表示される処理の流れについて説明する。図６に示すように、まず、画面の遷移があるか否かを判定する（ステップＳ６０１）。画面遷移がある場合（ステップＳ６０１／ＹＥＳ）は、遷移した画面が管理者メッセージ登録管理テーブルに保持されているか否かを判定する（ステップＳ６０２）。管理者メッセージ登録管理テーブルに保持されている場合（ステップＳ６０２／ＹＥＳ）は、画面ＩＤと対応して保持されている管理者メッセージを開き、画像形成装置の利用者に図７に示すようなメッセージを表示する。ここで図７は、図３に示す画面に対応して登録されていた管理者メッセージであり、図３に示す画面に遷移した場合に、図３に示す画面に引き続き、自動的に表示される。すなわち画面遷移の度に管理者メッセージ登録管理テーブルを参照し、管理者メッセージが登録されている場合には、該当するメッセージでポップアップ画面を表示する。
【００３２】
本実施形態により、管理者メッセージの登録を行いたい画面を表示している状態で、管理者メッセージを登録するため、あらゆる画面での管理者メッセージの登録が容易になり、操作性を向上させることが可能となる。
【００３３】
尚、本実施形態ではオペレータパネル４上にキーとして「管理者メッセージ登録用ボタン」を備える例について説明したが、例えばタッチパネルの画面上の端に常時表示する画面デザインにしてもよい。
【００３４】
また、本実施形態では「記録紙なしアラート表示画面」に遷移した場合に、記録紙の保管場所を知らせるメッセージ（文言）を表示する例について説明したが、記録紙の発注者担当名等を知らせる文言を表示させるように登録してもよい。また例えば、「コピーアプリトップ画面」に遷移した場合に、私用コピー禁止である旨を知らせる文言表示を行う場合にも適用することが可能である。また、電子マニュアル画面」に遷移した場合に、管理者が補足して伝えたい情報表示を行う場合等にも適用することが可能である。
【００３５】
（実施形態２）
図８は、本発明の実施形態に係るオペレータパネル４に、管理者メッセージを削除する場合に表示される画面の例を示す図である。本実施形態では、管理者メッセージを削除する処理の例について、図８に示す図を用いて詳細に説明する。
【００３６】
管理者メッセージ登録管理テーブルに保持されている管理者メッセージを削除する場合には、まず図７に示すような管理者メッセージを表示させる。続いて、管理者メッセージが表示される画面を開いた状態で、上記実施形態１で上述した「管理者メッセージ登録用ボタン」を押す。「管理者メッセージ登録用ボタン」を押すと、図８に示すような画面が表示される。図８に示す「する」ボタンを押すと、管理者メッセージを削除することが可能である。一方、「しない」ボタンを押すと管理者メッセージは削除されない。
【００３７】
本実施形態により、登録済みの管理者メッセージが表示されている画面から削除操作をすることで、管理者メッセージの削除が容易になり、操作性を向上させることが可能となる。
【００３８】
（実施形態３）
図９は、本発明の実施形態に係るオペレータパネル４に表示される認証画面の例を示す図である。本実施形態では、登録操作及び削除操作を行う場合に認証を行う処理の例について、図９に示す図を用いて詳細に説明する。
【００３９】
上述した実施形態１、２では誰でも「管理者メッセージ登録用ボタン」を押すことにより、管理者メッセージの登録及び削除が可能であった。そのため、管理者の意図が適切に伝わらないこともある。そこで、本実施形態では管理者メッセージの処理を行えるユーザを限定する。まず、管理者メッセージを登録又は削除するために「管理者メッセージ登録用ボタン」を押すと、図９に示すようなパスワードの入力を促す画面が表示される。パスワードを入力して認証された場合のみ、上述した図４、図８の画面に遷移し、管理者メッセージの登録操作や削除操作を行うことができる。
【００４０】
本実施形態により、管理者メッセージの登録及び削除を行う場合には認証を行うことで、管理者以外が登録や削除を行うことを防ぐことが可能となるので、管理者の意図が適切に伝わることが保証され、信頼性を向上させることが可能となる。
【００４１】
（実施形態４）
図１０は、本発明の実施形態に係るオペレータパネル４に表示される画面ＩＤ入力画面の例を示す図である。本実施形態では、画面ＩＤを入力して管理者メッセージの登録又は削除を行う処理の例について、図１０に示す図を用いて詳細に説明する。
【００４２】
上述した実施形態１、２、３では、管理者メッセージの登録や削除を行う場合に、その登録したい画面を開く必要があるが、画面を開くのが困難な場合もある。その場合には、管理者メッセージの登録又は削除を行うことは容易ではない。そこで本実施形態では、画面ＩＤを入力することによって、登録又は削除を行いたい管理者メッセージに対応する画面を開くことなく、管理者メッセージの登録及び削除操作を行う。まず、全画面の画面ＩＤ一覧表を、メーカ側が管理者に提供する。さらに、画像形成装置には、「強制表示用ボタン」を設けている。「強制表示用ボタン」は、上記「管理者メッセージ登録用ボタン」と同様に、オペレータパネル４に設けられ、どの画面を表示していても押すことが可能な位置に備えられている。
【００４３】
「強制表示用ボタン」を押すと、図１０に示すような画面ＩＤ入力画面が表示される。メーカ側から提供された全画面の画面ＩＤ一覧表を参照して、管理者メッセージの登録又は削除を行いたい画面のＩＤを入力して「ＯＫ」ボタンを押す。入力された画面ＩＤから画像形成装置は該当する画面を判断して強制的にその画面、例えば図３に示すような画面を表示する。
【００４４】
強制的に表示させた画面に対応する管理者メッセージを登録したい場合には、上述したような処理、すなわち「管理者メッセージ登録用ボタン」を押し、管理者メッセージを入力することによって登録する。管理者メッセージが登録済みである場合には、自動的に管理者メッセージが表示されるので、実施形態２で上述したように削除操作を行うことができる。
【００４５】
本実施形態により、表示させることが困難な画面であっても、画面ＩＤを入力することにより、画面を強制的に開くことができるので、管理者メッセージの登録又は削除も容易に行うことが可能となり、操作性を向上させることが可能となる。尚、全画面の画面ＩＤ一覧表は、予め管理者に提供しておくと良い。
【００４６】
（実施形態５）
図１１は、本発明の実施形態に係るオペレータパネル４に表示される管理者メッセージ登録一覧画面の例を示す図である。本実施形態では、登録された管理者メッセージの一覧を表示する処理の例について、図１１に示す図を用いて詳細に説明する。
【００４７】
上述したように、画面毎に管理者メッセージを登録（設定）していくと、どの画面に、どのような管理者メッセージを登録したのかが分からなくなることがある。また、古くなった管理者メッセージが表示されることによって、利用者の混乱を招くこともある。そこで、本実施形態では、登録した管理者メッセージの一覧を表示する。まず、オペレータパネル４に「管理者メッセージ登録状況確認ボタン」を設ける。「管理者メッセージ登録状況確認ボタン」を押すと、図１１に示すような管理者メッセージ登録一覧の画面が表示される。管理者メッセージ登録一覧には、画面ＩＤや画面に対応する文言（メッセージ）等の情報が記載されている。確認したい画面に対応する管理者メッセージを表示する場合には、その画面ＩＤに対応した「管理者メッセージ表示ボタン」を押すことで、例えば図７に示すような管理者メッセージを表示させる。
【００４８】
本実施形態により、管理者メッセージの登録状況を確認することができるので、どの画面にどのような管理者メッセージを登録したかをいつでも把握できるようになる。そのため、古くなったメッセージが表示されることにより、利用者の混乱を招くという問題を防ぐことが可能となり、信頼性を向上させることが可能となる。
【００４９】
尚、本実施形態では管理者メッセージの一覧を表示する例を説明したが、管理者メッセージが登録されている画面と、その画面に対応して登録されている管理者メッセージと、を交互に、さらに例えば画面ＩＤを基にして順繰りに表示するような方法も適用することが可能である。また、管理者メッセージや対応する画面を表示する順番の決定は、どんな方法を用いても構わない。
【００５０】
（実施形態６）
図１２は、本発明の実施形態に係るオペレータパネル４に表示される管理者メッセージ一括削除選択画面の例を示す図である。本実施形態では、登録された管理者メッセージを一括削除する処理の例について、図１２に示す図を用いて詳細に説明する。
【００５１】
画像形成装置を譲渡する場合などは、登録された管理者メッセージなどを全て削除する必要がある。しかし、上記実施形態で説明した削除操作で管理者メッセージの削除を行うと、１つ１つ削除することになり、非常に煩雑である。そこで、本実施形態では管理者メッセージを一括で削除する。まず、管理者メッセージを一括で削除するための「管理者メッセージ一括削除ボタン」を、オペレータパネル４に設ける。「管理者メッセージ一括削除ボタン」を押すと、図１２に示すような一括削除をするか否かの選択をユーザに求める画面が表示される。「する」ボタンを押すと、登録された管理者メッセージは全て削除される。「しない」ボタンを押すと、登録された管理者メッセージは削除されずに、登録内容は保持される。
【００５２】
本実施形態により、管理者メッセージを一括削除することが可能となるので、１つ１つ削除する手間を省くことが可能となり、操作性が向上する。また、管理者メッセージの消し忘れなどを防ぐことも可能となる。
【００５３】
（実施形態７）
図１３は、本発明の実施形態に係るオペレータパネル４に表示される有効期間設定画面の例を示す図である。図１４は、本発明の実施形態に係る管理者メッセージ登録管理テーブルの例を示す図である。図１５は、本発明の実施形態に係るオペレータパネル４に、登録された管理者メッセージを表示する処理の流れの例を示すフローチャートである。本実施形態では、管理者メッセージの表示期間を限定する処理の例について、図１３、図１４、図１５に示す図を用いて詳細に説明する。
【００５４】
特定の期間だけ管理者メッセージを表示させたい場合があるが、上記実施形態で説明した方法では、管理者メッセージを表示させたい期間に登録し、表示させたくない期間には削除するという操作を繰り返す必要がある。そこで、本実施形態では、管理者メッセージを表示させる期間を設定する。まず、オペレータパネル４に、「管理者メッセージ表示時期設定ボタン」を設ける。管理者メッセージが画面に表示されている場合に、「管理者メッセージ表示時期設定ボタン」を押すと、図１３に示すような管理者メッセージの有効期間を設定するための画面が表示される。
【００５５】
管理者メッセージの有効期間を設定するための画面では、管理者メッセージを表示させたい曜日や時間を設定する。まず、管理者メッセージを表示させたい曜日のボタンを選択して押すことにより、反転させて曜日を設定する。さらに時間を設定する場合は、時刻を入力して、時刻を設定する。ここでは、時刻を入力するとしたが、プルダウンで時刻を選択するようにしてもよい。また、曜日だけ指定することも、時間だけ指定することも可能である。上記の操作により管理者メッセージの有効期間を設定すると、図１４に示すように、管理者メッセージ登録管理テーブルに、画面ＩＤ、画面ＩＤに対応する文言、管理者メッセージに加えて、有効期間が追加登録される。
【００５６】
次に、有効期間が設定された管理者メッセージを表示する流れについて説明する。図１５に示すように、まず、画面の遷移があるか否かを判定する（ステップＳ１５０１）。画面遷移がある場合（ステップＳ１５０１／ＹＥＳ）は、遷移した画面が管理者メッセージ登録管理テーブルに保持されているか否かを判定する（ステップＳ１５０２）。管理者メッセージ登録管理テーブルに保持されている場合（ステップＳ１５０２／ＹＥＳ）は、管理者メッセージの有効期間であるか否かを判断する（ステップＳ１５０３）。管理者メッセージの有効期間である場合（ステップＳ１５０３／ＹＥＳ）は、画面ＩＤと対応して保持されている管理者メッセージを表示する。管理者メッセージの有効期間でない場合（ステップＳ１５０３／ＮＯ）には、管理者メッセージを表示しない。すなわち画面遷移の度に管理者メッセージ登録管理テーブルを参照し、管理者メッセージが登録されていて、且つ有効期間内である場合には、該当するメッセージでポップアップ画面を表示する。
【００５７】
本実施形態により、管理者メッセージの有効期間を設定することで、有効期間を判断して画像形成装置が自動的に管理者メッセージを表示するか否かを切り替えることが可能となる。そのため、管理者が時期によって管理者メッセージを登録したり削除したりする操作を繰り返す手間を省くことが可能となり、操作性を向上させることが可能となる。
【００５８】
尚、本実施では有効期間の設定として曜日と時間を設定する例について説明したが、月日を設定することも可能である。また本実施形態を応用し、同じ画面に対して、期間毎に別々の管理者メッセージを表示させることも考えられる。
【００５９】
尚、各図のフローチャートに示す処理を、ＣＰＵ１が実行するためのプログラムは本発明によるプログラムを構成する。このプログラムを記録するコンピュータ読み取り可能な記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００６０】
以上好適な実施の形態に基づき具体的に説明したが、本発明は上述した画像形成装置、その制御方法、プログラム及び記録媒体に限定されるものではなく、その要旨を逸脱しない範囲で種々変更可能であるということは言うまでもない。
【図面の簡単な説明】
【００６１】
【図１】本発明の実施形態に係る画像形成装置の概略構成の例を示すブロック図である。
【図２】本発明の実施形態に係る画像形成装置のオペレータパネル４の例を示す図である。
【図３】本発明の実施形態に係るオペレータパネル４に表示される画面の例を示す図である。
【図４】本発明の実施形態に係る画像形成装置の「管理者メッセージ登録用ボタン」を押した場合にオペレータパネル４に表示される画面の例を示す図である。
【図５】本発明の実施形態に係る管理者メッセージ登録管理テーブルの例を示す図である。
【図６】本発明の実施形態に係るオペレータパネル４に、登録された管理者メッセージを表示する処理の流れの例を示すフローチャートである。
【図７】本発明の実施形態に係るオペレータパネル４に表示される管理者メッセージの例を示す図である。
【図８】本発明の実施形態に係るオペレータパネル４に、管理者メッセージを削除する場合に表示される画面の例を示す図である。
【図９】本発明の実施形態に係るオペレータパネル４に表示される認証画面の例を示す図である。
【図１０】発明の実施形態に係るオペレータパネル４に表示される画面ＩＤ入力画面の例を示す図である。
【図１１】本発明の実施形態に係るオペレータパネル４に表示される管理者メッセージ登録一覧画面の例を示す図である。
【図１２】本発明の実施形態に係るオペレータパネル４に表示される管理者メッセージ一括削除選択画面の例を示す図である。
【図１３】本発明の実施形態に係るオペレータパネル４に表示される有効期間設定画面の例を示す図である。
【図１４】本発明の実施形態に係る管理者メッセージ登録管理テーブルの例を示す図である。
【図１５】本発明の実施形態に係るオペレータパネル４に、登録された管理者メッセージを表示する処理の流れの例を示すフローチャートである。
【図１６】従来の画像形成装置のサービスコール相当のエラー発生時に、画面に表示される管理者メッセージを示す図である。
【符号の説明】
【００６２】
１    ＣＰＵ
２    ＲＯＭ
３    ＲＡＭ
４    オペレータパネル
５    スキャナ
６    プロッタ
７    網制御部
８    モデム
９    符号化復号化部
１０    通信制御部
【図１】
0004944819.tif 000002
【図２】
0004944819.tif 000003
【図３】
0004944819.tif 000004
【図４】
0004944819.tif 000005
【図５】
0004944819.tif 000006
【図６】
0004944819.tif 000007
【図７】
0004944819.tif 000008
【図８】
0004944819.tif 000009
【図９】
0004944819.tif 000010
【図１０】
0004944819.tif 000011
【図１１】
0004944819.tif 000012
【図１２】
0004944819.tif 000013
【図１３】
0004944819.tif 000014
【図１４】
0004944819.tif 000015
【図１５】
0004944819.tif 000016
【図１６】
0004944819.tif 000017